(57)【特許請求の範囲】
【請求項１】
異常発生時にガス供給を停止可能なバルブを備えたガス供給設備機器において、前記バルブの開閉を制御するバルブ開閉制御装置であって、
遠隔の指令センタから送信される操作コマンドを受信する遠隔操作コマンド受信手段と、
異常発生時にローカル機器から出力されるローカル信号を受信するローカル信号受信手段と、
前記遠隔操作コマンド受信手段からバルブ閉操作コマンドを受信するか、あるいは前記ローカル信号受信手段からローカル信号を受信したときに、前記バルブを閉状態にする閉操作手段と、
前記遠隔操作コマンド受信手段からバルブ開操作コマンドを受信したときに、前記バルブを開状態にする開操作手段と、
前記ローカル信号の受信に応じたバルブ閉操作が行われたときからの経過時間が開操作無効時間を超えている場合に、前記遠隔操作コマンド受信手段からのバルブ開操作コマンドを前記開操作手段に出力し、前記経過時間が前記開操作無効時間以下の場合に、前記遠隔操作コマンド受信手段からのバルブ開操作コマンドを前記開操作手段に出力せず、このバルブ開操作コマンドによるバルブ開操作を無効とする開操作可否判定手段とを備えることを特徴とするバルブ開閉制御装置。
【請求項２】
請求項１記載のバルブ開閉制御装置において、
さらに、外部からの指示に応じて前記開操作無効時間を設定可能な設定手段を備えることを特徴とするバルブ開閉制御装置。
【請求項３】
ガス導管の途中に設けられたバルブと、
異常発生時にローカル信号を出力するローカル機器と、
請求項１または２に記載のバルブ開閉制御装置とを備えることを特徴とするガス供給設備機器。
【請求項４】
請求項３に記載のガス供給設備機器において、
前記ローカル機器は、地震発生時またはガス漏れ発生時に前記ローカル信号を出力することを特徴とするガス供給設備機器。
【発明の詳細な説明】
【技術分野】
【０００１】
本発明は、異常発生時にガス供給を停止可能なバルブを備えたガスガバナやガスメータ等のガス供給設備機器において、バルブの開閉を制御するバルブ開閉制御装置に関するものである。
【背景技術】
【０００２】
従来より、ガスの圧力を調整するガスガバナや需要家宅に設けられたガスメータのバルブを自動もしくは遠隔操作で閉状態にし、ガス供給を停止するシステムが知られている。図２の例では、中圧導管１００と低圧導管１０１との間に設けられたガスガバナ１０２のバルブ１０３を、例えば地震の発生時に自動もしくは供給指令センタ１０４からの遠隔操作で閉状態にし、需要家宅１０５に設けられたガスメータ１０６のバルブを自動で閉状態にするようにしている。
【０００３】
図３はガスガバナ１０２のバルブ制御部分の構成を示すブロック図である。ガスガバナ１０２は、ガス導管に設けられたバルブ１０３と、供給指令センタ１０４と通信を行う無線端末１０７と、ガスガバナ１０２に設けられたローカル機器１０８と、バルブ１０３の開閉を制御するバルブ開閉制御装置１０９とを備えている。
【０００４】
無線端末１０７は、供給指令センタ１０４から、バルブ１０３を閉状態にする遠隔操作コマンドを受信すると、この遠隔操作コマンドをバルブ開閉制御装置１０９に渡す。バルブ開閉制御装置１０９は、無線端末１０７からの遠隔操作コマンドを受信すると、バルブ１０３を閉状態にして低圧導管１０１へのガス供給を停止する。ローカル機器１０８は、例えば地震発生時等の異常発生時に、バルブ１０３を閉状態にするローカル信号を出力する。バルブ開閉制御装置１０９は、ローカル機器１０８からのローカル信号を受信すると、バルブ１０３を閉状態にする。
また、ガスメータ１０６は、例えば地震発生時やガス漏れ発生時にバルブを自動的に閉状態にして需要家宅１０５へのガス供給を停止する。
【０００５】
図２に示したようなシステムにおいては、自動もしくは遠隔操作で閉状態にしたガスガバナ１０２やガスメータ１０６を遠隔操作で開状態にしたいという要請がある。例えば特許文献１に開示されたガスメータの遠隔復帰装置では、異常発生時に閉状態にしたガスメータを遠隔操作で開状態に復帰させる構成が提案されている。
図３に示したガスガバナ１０２の構成においても、供給指令センタ１０４から、バルブ１０３を開状態にする遠隔操作コマンドを送信すれば、バルブ開閉制御装置１０９を介してバルブ１０３を開状態にすることが可能である。
【先行技術文献】
【特許文献】
【０００６】
【特許文献１】特開平８−１３６２９３号公報
【発明の概要】
【発明が解決しようとする課題】
【０００７】
異常発生時にガス供給を停止可能なバルブを備えたガスガバナやガスメータにおいては、上記のように遠隔操作でバルブを開状態に復帰させることが技術的に可能であるが、閉状態のバルブを開状態に復帰させるために復旧（バルブ開）操作コマンドを送信してから実際にバルブが開状態になるまでの間に新たな地震が発生する可能性があった。また、ガスガバナやガスメータの状態に関する情報を通信機能で供給指令センタに送り、供給指令センタでガスガバナやガスメータの復旧可否判定を行うシステムがあるが、供給指令センタに送る情報がガスガバナやガスメータのリアルタイムな情報ではなく、最新の状況との間にずれが生じる場合があった。
【０００８】
したがって、従来のシステムでは、最新の状況に応じてローカル機器がローカル信号を出力してバルブを閉状態にした後に、古い情報を基に供給指令センタから復旧（バルブ開）操作コマンドが送信される可能性があり、地震発生時などバルブを閉状態に維持すべき状況においても、遠隔操作によってバルブの開操作が行われてしまう可能性があった。
【０００９】
本発明は、上記課題を解決するためになされたもので、異常発生時にガス供給を停止可能なバルブを備えたガスガバナやガスメータ等のガス供給設備機器において、バルブを閉状態に維持すべき状況において遠隔操作によってバルブの開操作が行われる可能性を低減することができるバルブ開閉制御装置およびガス供給設備機器を提供することを目的とする。
【課題を解決するための手段】
【００１０】
本発明は、異常発生時にガス供給を停止可能なバルブを備えたガス供給設備機器において、前記バルブの開閉を制御するバルブ開閉制御装置であって、遠隔の指令センタから送信される操作コマンドを受信する遠隔操作コマンド受信手段と、異常発生時にローカル機器から出力されるローカル信号を受信するローカル信号受信手段と、前記遠隔操作コマンド受信手段からバルブ閉操作コマンドを受信するか、あるいは前記ローカル信号受信手段からローカル信号を受信したときに、前記バルブを閉状態にする閉操作手段と、前記遠隔操作コマンド受信手段からバルブ開操作コマンドを受信したときに、前記バルブを開状態にする開操作手段と、前記ローカル信号の受信に応じたバルブ閉操作が行われたときからの経過時間が開操作無効時間を超えている場合に、前記遠隔操作コマンド受信手段からのバルブ開操作コマンドを前記開操作手段に出力し、前記経過時間が前記開操作無効時間以下の場合に、前記遠隔操作コマンド受信手段からのバルブ開操作コマンドを前記開操作手段に出力せず、このバルブ開操作コマンドによるバルブ開操作を無効とする開操作可否判定手段とを備えることを特徴とするものである。
また、本発明のバルブ開閉制御装置の１構成例は、さらに、外部からの指示に応じて前記開操作無効時間を設定可能な設定手段を備えることを特徴とするものである。
また、本発明のガス供給設備機器は、ガス導管の途中に設けられたバルブと、異常発生時にローカル信号を出力するローカル機器と、バルブ開閉制御装置とを備えることを特徴とするものである。
また、本発明のガス供給設備機器の１構成例において、前記ローカル機器は、地震発生時またはガス漏れ発生時に前記ローカル信号を出力することを特徴とするものである。
【発明の効果】
【００１１】
本発明によれば、ローカル機器によるバルブの自動制御を優先し、ローカル信号によるバルブ閉操作が行われたときからの経過時間が開操作無効時間以下の場合は、バルブ開操作コマンドによるバルブ開操作を無効とするようにしたので、バルブを閉状態に維持すべき状況において遠隔操作によってバルブの開操作が行われる可能性を低減することができる。
【図面の簡単な説明】
【００１２】
【図１】本発明の実施の形態に係るバルブ開閉制御装置の構成を示すブロック図である。
【図２】従来のガス供給システムの１例を示す図である。
【図３】ガスガバナのバルブ制御部分の構成を示すブロック図である。
【発明を実施するための形態】
【００１３】
以下、本発明の実施の形態について図面を参照して説明する。図１は本発明の実施の形態に係るバルブ開閉制御装置の構成を示すブロック図である。バルブ開閉制御装置１は、遠隔操作コマンド受信部４と、ローカル信号受信部５と、閉操作部６と、開操作部７と、開操作可否判定部８と、設定部９とを備えている。
バルブ開閉制御装置１と、ガス導管（不図示）の途中に配置されるバルブ２と、ローカル機器３とは、例えばガスガバナやガスメータ等のガス供給設備機器に設けられる。
【００１４】
遠隔操作コマンド受信部４は、図示しない遠隔の指令センタから送信される遠隔操作コマンドを受信する。
ローカル信号受信部５は、ローカル機器３から出力されるローカル信号を受信する。ローカル機器３としては、例えば地震センサやガス漏れセンサがある。ローカル機器３は、例えば地震発生時やガス漏れ発生時等の異常発生時に、バルブ２を閉状態にするローカル信号を出力する。
【００１５】
閉操作部６は、遠隔操作コマンド受信部４からバルブ２を閉状態にするバルブ閉操作コマンドを受信するか、あるいはローカル信号受信部５からローカル信号を受信すると、バルブ２を閉状態にする。これにより、バルブ２が設けられたガス導管へのガス供給が停止する。
開操作部７は、遠隔操作コマンド受信部４から開操作可否判定部８を介してバルブ開操作コマンドを受信したときに、バルブ２を開状態にする。
【００１６】
開操作可否判定部８は、遠隔操作コマンド受信部４からバルブ２を開状態にするバルブ開操作コマンドを受信すると、このバルブ開操作コマンドを開操作部７に出力するが、ローカル信号によるバルブ閉操作が行われたときからの経過時間が開操作無効時間以下の場合は、バルブ開操作コマンドによるバルブ開操作を無効とする。開操作可否判定部８には、タイマ１０が設けられており、ローカル信号受信部５からローカル信号が出力されたときからの経過時間を測定できるようになっている。
【００１７】
開操作可否判定部８は、ローカル信号受信部５からローカル信号が出力されていないか、あるいはローカル信号が出力されたときからの経過時間が開操作無効時間を超えている場合、遠隔操作コマンド受信部４からのバルブ開操作コマンドを開操作部７に出力し、ローカル信号が出力されたときからの経過時間が開操作無効時間以下の場合、バルブ開操作コマンドを開操作部７に出力しない。
設定部９は、開操作可否判定部８に対して、例えばオペレータの指示に応じて開操作無効時間を任意に設定できるようになっている。
【００１８】
以上のように、本実施の形態では、ローカル機器３によるバルブ２の自動制御を優先し、ローカル信号によるバルブ閉操作が行われたときからの経過時間が開操作無効時間以下の場合は、バルブ開操作コマンドによるバルブ開操作を無効とするようにしたので、バルブを閉状態に維持すべき状況において遠隔操作によってバルブの開操作が行われる可能性を低減することができる。
【００１９】
本実施の形態で説明したバルブ開閉制御装置１は、例えばＣＰＵ（Central Processing Unit）、記憶装置およびインタフェースを備えたコンピュータとこれらのハードウェア資源を制御するプログラムによって実現することができる。ＣＰＵは、記憶装置に格納されたプログラムに従って本実施の形態で説明した処理を実行する。
【産業上の利用可能性】
【００２０】
本発明は、ガスガバナやガスメータ等のガス供給設備機器に適用することができる。
【符号の説明】
【００２１】
１…バルブ開閉制御装置、２…バルブ、３…ローカル機器、４…遠隔操作コマンド受信部、５…ローカル信号受信部、６…閉操作部、７…開操作部、８…開操作可否判定部、９…設定部、１０…タイマ。
【図１】
0006423676.tif 000002
【図２】
0006423676.tif 000003
【図３】
0006423676.tif 000004